(57)【特許請求の範囲】
【請求項１】
タイル枠１０は細長の箱状部材１５と、前記箱状部材１５の表面の幅方向中央より垂直に、且つ当該箱状部材１５の長さ方向に沿って立設された凸形状の枠部１２を備えた構造であり、前記タイル枠１０に端縁カバー１が結合する構造において、前記端縁カバー１の形状は、少なくとも下端が開口した中空構造を有し、前記枠部１２と嵌合する凹形状の嵌合手段４が設けられるとともに、前記タイル枠１０に構成される前記箱状部材１５の長さ方向の側面１７の全て、もしくは一部に被係合手段１８が構成されると共に、前記端縁カバー１には係合手段５が形成され、前記タイル枠１０に前記端縁カバー１が対で係合することを特徴とする端縁カバー。
【請求項２】
請求項１に記載の端縁カバー１において、前記端縁カバー１はタイル枠１０と床面及び地面との段差をなくすスロープ材であることを特徴とする端縁カバー。
【請求項３】
請求項１に記載の端縁カバー１において、前記端縁カバー１に構成されている端縁角カバー２との境界に、薄肉部２ａを構成していることを特徴とする端縁カバー。
【発明の詳細な説明】
【技術分野】
【０００１】  本発明は、床面及び地面等に枠を構成しタイル等を敷き並べた空間を構築するに際し、枠内に敷設する床タイルの端部処理に用いられる端縁部品に関する。
【背景技術】
【０００２】  近年、ベランダやバルコニーあるいは屋上の床面は、コンクリートを剥出しのままにしておくと見栄えが悪いため、合成樹脂製の床材を敷設し、その上に鉢植え植物や屋外用のテーブルや椅子などを置いてガーデニングを楽しむ家庭が増えている。【０００３】  この合成樹脂製の敷設では、屋上などの床面に部分敷きすると、床面と床材表面との間に大きな段差が生じ、歩行者が躓きやすいという問題や、見た目としても良くないという問題があるとして、例えば特開２０００−３２８７６４号公報記載の技術がある。この技術では、タイルを１枚毎に支持する大きさに形成されているタイルユニットの端縁に対して、床材のオス脚及びメス脚のいずれも挿入することが可能な兼用穴部と、スロープ材の連結用の脚を挿入することが可能な穴部を有し、この連結材の兼用穴部に床材のオス脚またはメス脚が挿入され、スロープ材の連結用の脚が連結材の穴部に挿入されて、内部に連結材を収容した状態で連結されることを特徴とするものである。【０００４】  また、特開２００７−２０４９４８号公報記載の技術では、タイルユニットの端縁に対して、タイルユニットの雄連結部および雌連結部のいずれとも連結可能な形状をした共用連結部とすることで、連結材を設けることなくスロープ材を取り付けることができることを特徴とする技術である。
【発明の概要】
【発明が解決しようとする課題】
【０００５】  しかしながら、特開２０００−３２８７６４号公報記載の技術では、タイルユニットの端縁に、連結材と端縁カバー材の二種類を使用しなければならないため、部品組立時間が長くなるだけでなく、部品数が増加した分だけコストアップの要因になってしまうという課題があった。【０００６】  また、特開２００７−２０４９４８号公報記載の技術では、端縁カバー材だけの部品構成となり、特開２０００−３２８７６４号公報の課題を解決することができたが、端縁カバー材を取り付けるにあたり、タイルユニットの端部を持ち上げ、端縁カバー材をタイルユニットの下側に差し込まなければならないという課題があり、更なる作業性の向上が求められていた。
【課題を解決するための手段】
【０００７】  本願の発明はこのような課題を解決する為になされ、その具体的解決手段として、従来のタイルユニットでは、樹脂製のベースと、該ベース上に固着されたタイルを備えたタイルユニットに対する端縁カバー材の連結方法から、樹脂製のベースに相当する枠体を分離し、枠体部品同士を簡単な作業で先行して連結して配置させ、豊富な種類を揃えているタイルを枠内に設置した後、簡単な作業で、確実な連結を可能とする端縁カバー材である。
【発明の効果】
【０００８】  端縁カバー材の取付けは、上側から真直ぐに押込んだ後、位置合わせとして、左右に少しの距離を移動させるだけで取付ける事ができる構造であり、レイアウトを変更する時の再設置作業では、端縁カバー材だけを持つことで、取外しができる構造となっている。
【図面の簡単な説明】
【０００９】
【図１】本発明の実施形態１に係る端縁カバーの上側斜視図
【図２】本発明の実施形態１に係る端縁カバーの下側斜視図
【図３】本発明の実施形態１に係るタイル枠の斜視図
【図４】本発明の実施形態１に係るタイル枠の組立状態の斜視図
【図５】本発明の実施形態１に係るタイル枠とタイルの組立時における斜視図
【図６】本発明の実施形態１に係るタイルの単枠における端縁カバー組立斜視図
【図７】本発明の実施形態１に係るタイルの単枠における端縁カバー組立斜視断面図
【図８】本発明の実施形態１に係る端縁カバー組立時の係止状態を示す断面図
【図９】本発明の実施形態１に係る端縁カバー組立時の位置決め突起を示す断面図
【図１０】本発明の実施形態１に係る平行端縁カバーの斜視図
【図１１】本発明の実施形態１に係るタイルの複数枠の時における端縁カバー組立斜視図
【図１２】本発明の実施形態１に係るタイル大の単枠の時における端縁カバー組立斜視図
【図１３】本発明の実施形態２に係る端縁カバー組立斜視図
【図１４】本発明の実施形態２に係る端縁カバー組立断面図
【図１５】本発明の実施形態２に係る複数枠の時における端縁カバー組立斜視図
【発明を実施するための形態】
【００１０】  以下、本発明の端縁カバー材についての詳しい技術的構成を実施例に則して、かつ、図面を参照して具体的に説明する。
（実施形態１）
【００１１】  図面により、本発明を説明する。図１〜図２は、本発明の実施形態１に係る端縁カバーの斜視図である。本発明の実施形態において、端縁カバー１は主要な合成樹脂製の構成部材である。例えば、合成樹脂の単独、あるいは、木屑、再生プラスチックス等の充填剤を高配合させたＰＥ、ＰＰ、ポリアミド等の可とう性のある合成樹脂、更には、耐候性安定剤や防虫剤などの添加剤を配合した合成樹脂等で構成すればよい。また、可とう性や耐候性のあるステンレスなどの金属を使用してもよい。
【００１２】  図１は、本発明の実施形態１に係る端縁カバーの上側斜視図であり、図２は、本発明の実施形態１に係る端縁カバーの下側斜視図である。前記端縁カバー１の形状は、下端が開口した中空構造を有し、前記端縁カバー１には傾斜面３が構成されている。また、薄肉部２ａを介して端縁角カバー２が構成されている。
【００１３】  図３は、本発明の実施形態１に係るタイル枠の斜視図であり、図４は、本発明の実施形態１に係るタイル枠の組立状態の斜視図であり、図５は、本発明の実施形態１に係るタイル枠とタイルの組立時における斜視図である。床面及び地面にタイル２０等を敷き並べて構築するに際し、タイル２０が丁度整数枚納まる広さの敷地面である床及び地面等において、タイル枠１０を連結して構成された枠内にタイル２０を設置する構造において、複数個のタイル枠１０を連結させて枠を構成するものであり、前記タイル枠１０は下側に開口する細長の箱状部材１５と、前記箱状部材１５の表面の幅方向中央より垂直に、且つ当該箱状部材１５の長さ方向に沿って立設された凸形状の枠部１２を備え、前記枠部１２の長さ方向の一方の端部は、前記箱状部材１５の端部から突出しており、前記枠部１２の突出部下面には、嵌合手段１１が設けられ、前記嵌合手段１１と穴１４とが嵌合される。
【００１４】  図６は、本発明の実施形態１に係るタイルの単枠における端縁カバー組立斜視図であり、４個のタイル枠１０を連結して構成された枠内にタイル２０が設置された状態に、端縁カバー１を上側から、嵌め込む状態を示した図である。端縁カバー１は、前記タイル枠１０と対で取付く構造となっており、前記タイル枠１０と前記端縁カバー１を各４個使用して、段差をなくしたスロープ形状の端縁カバー１がタイル枠１０に取付けられ、略正方形の枠を形成している。
【００１５】  図７は、本発明の実施形態１に係るタイルの単枠における端縁カバー組立斜視断面図であり、タイル枠１０に端縁カバー１が係止されている状態である。図８は、本発明の実施形態１に係る端縁カバー組立時の係止状態を示す断面図であり、前記タイル枠１０に前記端縁カバー１が係止されている状態を断面図で示したものである。
【００１６】  端縁カバー１は、タイル枠１０の上方から組付けられる。具体的には、タイル枠１０に構成される突起１６により、タイル２０と前記タイル枠１０に構成されている枠部１２との間に隙間となる被嵌合手段１９が生じ、被嵌合手段１９に前記端縁カバー１に構成される嵌合手段４が、前記枠部１２に沿って嵌合される。
【００１７】  その後、タイル枠１０の箱状部材１５の長さ方向に構成される側面１７に設けられている被係合手段１８に、前記端縁カバー１に構成される係合手段５が係合され、タイル枠１０と端縁カバー１が結合する状態となる。
【００１８】  図８は、本発明の実施形態１に係る端縁カバー組立時の係止状態を示す断面図であり、前記端縁カバー１が前記タイル枠１０の上側から被嵌合手段１９の隙間に、前記端縁カバー１に構成される嵌合手段４が、枠部１２に沿って挿入される。
【００１９】  端縁カバー１がタイル枠１０に装着される過程としては、タイル枠１０に構成される箱状部材１５の長さ方向に沿って立設された凸形状の枠部１２と端縁カバー１に構成される嵌合手段４によって、前記枠部１２の前後方向が固定され、タイル枠１０により、前記端縁カバー１と前記タイル枠１０は前後方向での位置固定が完了する。
【００２０】  図９は、本発明の実施形態１に係る端縁カバー組立時の位置決め突起の嵌合状態を示す断面図である。前記枠部１２の長さ方向の位置固定としては、前記端縁カバー１に構成されている位置決め突起９が、前記タイル枠１０に構成される台座部１３に突き当たった後、端縁カバー１を枠部１２の長さ方向に対して、左右方向に少しだけ動かすと、前記端縁カバー１に構成される位置決め突起９が、前記タイル枠１０に構成される穴１４に嵌合し、タイル枠１０に構成される箱状部材１５の長さ方向の側面１７の全て、もしくは一部に被係合手段１８に対して、前記端縁カバー１の係合手段５が係合される。
【００２１】  図１０は、本発明の実施形態１に係る平行端縁カバーの斜視図であり、図１０の（ａ）の状態は、平行端縁カバーの上側斜視図であり、図１０の（ｂ）の状態は、平行端縁カバーの下側斜視図である。図１１は、本発明の実施形態１に係るタイルの複数枠の時における端縁カバー組立斜視図であり、端縁カバー１は、タイル２０が１枚の単品の状態では、タイル枠１０は、常に直角に連結されるが、図１１の場合は、タイル枠１０は、直角と平行の２通りの連結状態があり、タイル枠１０が平行に連結された場合には、端縁カバー１に構成されている端縁角カバー２の部分が前記タイル枠１０に干渉してしまい、前記端縁カバー１をタイル枠１０に組付けることができなくなってしまう。
【００２２】  そこで、端縁カバー１に構成されている端縁角カバー２との境界に、薄肉部２ａを構成し、カッターやはさみ等を使って、薄肉部２ａを切断して端縁角カバー２を取除き、平行端縁カバー１ａへと形状を変えることで、タイル枠１０が平行に連結された場合にも、タイル枠１０に干渉することなく、平行端縁カバー１ａが前記平行端縁カバー１ａに構成される端部８同士を隣合わせとして、複数個が並ぶことができ、端縁カバー１をタイル枠１０に組み付けられるようにしたものである。
【００２３】  図１２は、本発明の実施形態１に係るタイル大の単枠の時における端縁カバー組立斜視図である。通常のタイルの約４倍の面積をもつ大きなサイズのタイルを使用した場合でも、タイル枠１０の組付け個数を変えるだけで、簡単に構成することができる。
（実施形態２）
【００２４】  本発明は、合成樹脂製の敷設において、バルコニーなどの床面や地面に部分敷きすると、敷設面と床表面との間に大きな段差が生じ、歩行者が躓きやすいという問題に対して、簡単な作業で、端縁カバー１を組付け、課題を解決するものであるが、例えば、本発明を額縁に利用することで、色々なサイズのポスター２２を配置よく、容易に取付けできると共に、掲示物を掲示側から設置可能とできるものである。
【００２５】  図１３は、本発明の実施形態２に係る端縁カバー組立斜視図である。額縁２１はポスター２２あるいは写真などを入れ、壁や柱に掲示し、広告用として広く活用されている。しかしながら、額縁２１にポスター２２などの掲示物を入れる時の挿入方向は、通常は掲示する側とは反対面となるので、実際に掲示してみると掲示物が斜めになったり、あるいは一部が見えなかったりする場合には、入れ直しをしなければならない場合が生じてしまう。本発明はこれらを防止し、さまざまな種類のポスター２２を掲示側から確認しながら簡単な作業で整然と嵌め込むことができる額縁用のカバーとして利用することができる構造となっている。
【００２６】  図１４は、本発明の実施形態２に係る端縁カバー組立断面図であり、額縁２１に下板２３を嵌め込み、その上にポスター２２を嵌め込み、さらに、その上に端縁カバー１を装着した状態である。また、端縁カバー１とポスター２２の間に、透明カバー２４を構成することで、複数枚のポスター２２であっても、端縁カバー１に構成される嵌合手段４によって、抜けを防止することができる。
【００２７】  図１５は、本発明の実施形態２に係る複数枠の時における端縁カバー組立斜視図であり、本発明では、額縁２１をタイル枠１０に変更し、タイル枠１０の連結個数によって、額縁２１のサイズを自由自在に変更する事ができ、大きな一枚のポスター２２を掲載、あるいは、小さな枠を連結させて複数のポスター２２を一緒の枠内の中に入れる表現ができ、タイル枠１０の構成によって様々なサイズのポスター２２を同じ額縁２１の中に構成する事ができるものである。
【００２８】  例えば、図１５の（ａ）の状態は、１５枚のポスター２２が同じ枠内に一緒に掲示できる状態を図で示したものであり、図１５の（ｂ）の状態は、横一列に配置された５枚のポスター２２が同じ枠の中に構成された状態である。当然ながら、それぞれの大きさに１枚の大きなポスター２２を掲示することもできるものであり、ポスター２２の下側には下板２３を嵌め込み、ポスター２２の上側には、透明カバー２４を構成する。
【００２９】  これまでの額縁２１は、さまざまな大きさのポスター２２に対応するため、種類豊富に製品を準備しなければならず、在庫保管スペースの確保や、種類毎に販売数を予測しての管理が必要となってしまい、需要の少ない特殊なサイズの場合には、在庫管理費や生産効率という点において、量産時の原価低減効果を得ることができず、販売価格が高額となるという課題を抱える状態となっており、本課題を解決するために、本発明は有効な手段とすることができる。
【産業上の利用可能性】
【００３０】  本発明は、ベランダやバルコニーあるいは屋上の床面をコンクリート剥出しのままにしていたり、地面が雑草で覆われていたりすることで見栄えを損なっている場所に、合成樹脂製の枠材を敷設し、その枠内にタイルを設置して、鉢植え植物や屋外用のテーブルや椅子を置いてガーデニングを楽しむ床材表面と床面との間にできる段差を、歩行者が躓かない様に、床材の樹脂製の枠体に簡単な作業で、確実な連結ができ、枠体と床面の段差を解消する端縁カバー材を提供する技術である。さらに、さまざまな種類があるポスターを掲示側から確認しながら簡単な作業で整然と嵌め込んで掲示する額縁用のカバーとして利用することができる技術である。
【符号の説明】
【００３１】  １          ・・・・端縁カバー
１ａ        ・・・・平行端縁カバー
２          ・・・・端縁角カバー
２ａ        ・・・・薄肉部
３          ・・・・傾斜面
４          ・・・・嵌合手段
５          ・・・・係合手段
６          ・・・・枠当接部
７          ・・・・台座当接部
８          ・・・・端部
９          ・・・・位置決め突起
１０        ・・・・タイル枠
１１        ・・・・嵌合手段
１４        ・・・・穴
１５        ・・・・箱状部材
１６        ・・・・突起
１７        ・・・・側面
１８        ・・・・被係合手段
１９        ・・・・被嵌合手段（隙間）
２０        ・・・・タイル
２１        ・・・・額縁
２２        ・・・・ポスター
２３        ・・・・下板
２４        ・・・・透明カバー
【要約】
【課題】床材の樹脂製の枠体に簡単な作業で、確実な連結ができ、枠体と床面の段差を解消する端縁カバー材を提供する。
【解決手段】タイル２０が丁度整数枚納まる広さの敷地面である床及び地面等において、タイル枠１０を連結して構成された枠内にタイル２０を設置する構造において、複数個のタイル枠１０を連結させて枠を構成する。その後、タイル２０を枠内に設置し、タイル枠１０に構成される突起１６とタイル２０とタイル枠１０の箱状部材１５の表面の幅方向中央より垂直に、且つ当該箱状部材１５の長さ方向に沿って立設された凸形状の枠部１２との間の隙間である被嵌合手段１９に、前記端縁カバー１に構成される嵌合手段４が、前記枠部１２に沿って嵌合され、タイル枠１０の箱状部材１５の長さ方向に構成される側面１７に設けられている被係合手段１８に、端縁カバー１に構成される係合手段５が係合され、タイル枠１０と端縁カバー１が結合する。
【選択図】図１１【図１】
0005759059.tif 000002
【図２】
0005759059.tif 000003
【図３】
0005759059.tif 000004
【図４】
0005759059.tif 000005
【図５】
0005759059.tif 000006
【図６】
0005759059.tif 000007
【図７】
0005759059.tif 000008
【図８】
0005759059.tif 000009
【図９】
0005759059.tif 000010
【図１０】
0005759059.tif 000011
【図１１】
0005759059.tif 000012
【図１２】
0005759059.tif 000013
【図１３】
0005759059.tif 000014
【図１４】
0005759059.tif 000015
【図１５】
0005759059.tif 000016